(57)【要約】【課題】気圧が変化した場合でも、騒音や装置の消費電力を増大させることなく、吸引部における吸引力を所定の吸引力に維持することができるプリンターを提案すること。【解決手段】プリンター１は、電源が投入されると、気圧センサー２０の検出している気圧が基準気圧以上か否かを判定する（ステップＳＴ１〜ＳＴ３）。気圧が基準気圧以上の場合には、吸引ファン３１を第１回転数（第１デューティ比）で駆動制御するように設定する（ステップＳＴ４）。気圧が基準気圧より低い場合には、吸引ファン３１を第１回転数よりも高い第２回転数（第２デューティ比）で駆動制御するように設定する（ステップＳＴ５）。気圧の低下時には吸引ファン３１の回転数を上げて吸引部１１における吸気気流の流速νを上昇させることができるので、気圧の低下時に空気密度ρの減少により低下してしまう吸引部１１の吸引力を、所定の吸引力に維持できる。【選択図】図６
2010221462.tif 000002
【特許請求の範囲】
【請求項１】
吸引手段を駆動することによりプラテンの吸引部に記録紙を吸引するプリンターにおけ
る吸引手段の吸引力制御方法であって、
気圧を検出し、
前記気圧に基づいて、前記吸引手段を制御することを特徴とするプリンターにおける吸
引手段の吸引力制御方法。
【請求項２】
請求項１に記載のプリンターにおける吸引手段の吸引力制御方法において、
少なくとも電源が投入されたときに、前記気圧を検出することを特徴とするプリンター
における吸引手段の吸引力制御方法。
【請求項３】
請求項１に記載のプリンターにおける吸引手段の吸引力制御方法において、
少なくとも上位機器からデータを受信すると、前記気圧を検出することを特徴とするプ
リンターにおける吸引手段の吸引力制御方法。
【請求項４】
請求項１ないし３のうちのいずれかの項に記載のプリンターにおける吸引手段の吸引力
制御方法において、
前記吸引手段は吸引ファンを含み、
前記気圧が検出されると、予め定められた基準気圧以上か否かを判定し、前記基準気圧
以上の場合には、前記吸引ファンの回転数を予め定められた第１回転数に設定し、前記基
準気圧よりも低い場合には、前記回転数を前記第１回転数よりも高い第２回転数に設定す
ることを特徴とするプリンターにおける吸引手段の吸引力制御方法。
【請求項５】
請求項１ないし３のうちのいずれかの項に記載のプリンターにおける吸引手段の吸引力
制御方法において、
前記吸引手段は吸引ファンを含み、
予め、前記吸引ファンの回転数を予め定められた第１回転数に設定しておき、
前記気圧を１回だけ検出し、
前記気圧が検出されると、予め定められた基準気圧より低いか否かを判定し、前記基準
気圧より低い場合には、前記回転数を前記第１回転数よりも高い第２回転数に設定するこ
とを特徴とするプリンターにおける吸引手段の吸引力制御方法。
【請求項６】
吸引部を備えるプラテンと、
前記吸引部で記録紙を吸引するための吸引手段と、
気圧検出手段と、
前記気圧検出手段が検出する気圧に基づいて、前記吸引手段の吸引力を制御する制御部
と、を有することを特徴とするプリンター。
【請求項７】
請求項６に記載のプリンターにおいて、
前記制御部は、少なくとも電源が投入されたときに、前記気圧を検出することを特徴と
するプリンター。
【請求項８】
請求項６に記載のプリンターにおいて、
前記制御部は、少なくとも上位機器からデータを受信すると、前記気圧を検出すること
を特徴とするプリンター。
【請求項９】
請求項６ないし８のうちのいずれかの項に記載のプリンターにおいて、
前記吸引手段は吸引ファンを含み、
前記制御部は、前記気圧が予め定められた基準気圧より低いか否かを判定する判定手段
と、前記気圧が前記基準気圧以上の場合には前記吸引ファンの回転数を予め定められた第
１回転数に設定し、前記気圧が前記基準気圧より低い場合には前記回転数を前記第１回転
数よりも高い第２回転数に設定する設定手段を備えていること特徴とするプリンター。
【請求項１０】
請求項６ないし８のうちのいずれかの項に記載のプリンターにおいて、
前記吸引手段は吸引ファンを含み、
前記制御部は、前記吸引ファンの回転数を予め定められた第１回転数に設定しておく初
期設定手段と、前記気圧が予め定められた基準気圧より低いか否かを判定する判定手段と
、前記気圧が前記基準気圧より低い場合には前記回転数を前記第１回転数から当該第１回
転数よりも高い第２回転数に変更する設定変更手段を備えていること特徴とするプリンタ
ー。
【請求項１１】
請求項６ないし１０のうちのいずれかの項に記載のプリンターにおいて、
前記気圧検出手段は、前記プラテンの近傍に配置されていることを特徴とするプリンタ
ー。
【発明の詳細な説明】
【技術分野】
【０００１】
本発明は、吸引手段を駆動することによりプラテンの吸引部に記録紙を吸引するプリン
ターに関する。より詳細には、吸引部における吸引力を、気圧の変化に拘わらず、所定の
吸引力に維持することができるプリンターにおける吸引手段の吸引力制御方法およびプリ
ンターに関する。
【背景技術】
【０００２】
プリンターの中には、印刷位置を規定しているプラテンの表面に記録紙を吸引するため
の吸引手段を有するものがある。吸引手段は、表面に吸引部を備えるプラテンと吸気ダク
トなどを介して吸引部に接続されている吸引ファンとを有しており、吸引ファンが動作す
ると、吸引部から吸気が行われ、印刷位置を通過する記録紙の部分がプラテンの表面に吸
引される。吸引された記録紙の部分はプラテンの表面に沿った平坦な状態とされるので、
記録紙と印刷ヘッドとの干渉が回避される。
【０００３】
吸引手段を有するプリンターは、例えば、特許文献１、２に記載されている。特許文献
１では、記録紙の張力状態の変化に基づいて吸引手段の吸引力を制御している。特許文献
２では、印刷に用いる記録紙の種類に基づいて吸引手段の吸引力を制御している。
【先行技術文献】
【特許文献】
【０００４】
【特許文献１】特開２００１−２２００４０号公報
【特許文献２】特開平３−２７０号公報
【発明の概要】
【発明が解決しようとする課題】
【０００５】
吸引部における吸引力は、一般的に、動作環境が１気圧の場合を想定して設定されてい
る。このため、標高が高く気圧が低い場所でプリンターを使用すると、吸引部において所
定の吸引力が得られずに、記録紙がプラテンの表面から浮き上がってしまうことがある。
【０００６】
すなわち、吸引部における吸引力（圧力）ΔＰは、空気密度をρ、吸引部における吸引
気流の流速をνとすると以下の数式によって表されており、気圧が低下すると空気密度ρ
が低下するので、吸引力ΔＰが低下して、吸引力不足が発生してしまう。
【０００７】
【数１】
2010221462.tif 000003
【０００８】
そこで、気圧が低い場所でのプリンターの動作を保証するためには、吸引部における吸
引力を、１気圧の動作環境において記録紙の浮き上がりを防止するのに必要最小限の吸引
力よりも強く設定しておく必要がある。より具体的には、吸引気流の流速νを必要以上に
速く設定しておかなければならないので、吸引手段を構成する吸引ファンの回転数を必要
以上に高く設定しておく必要がある。
【０００９】
しかし、吸引ファンの回転数を必要以上に高く設定すれば、騒音が大きくなってしまう
という問題点がある。また、装置の消費電力が増大してしまうという問題がある。ここで
、気圧に起因する吸引力不足は、記録紙に働く張力の変化や記録紙の種類の相違に拘わら
ず発生する。従って、上記の文献のような吸引力の制御手段を備えていても、吸引ファン
の回転数を常に必要以上に高く設定しておかなければならない。
【００１０】
本発明の課題は、このような点に鑑みて、気圧が変化した場合でも、騒音や装置の消費
電力を増大させることなく、吸引部における吸引力を所定の吸引力に維持することができ
るプリンターにおける吸引手段の吸引力制御方法およびプリンターを提案することにある
。
【課題を解決するための手段】
【００１１】
上記の課題を解決するために、本発明は、吸引手段を駆動することによりプラテンの吸
引部に記録紙を吸引するプリンターにおける吸引手段の吸引力制御方法であって、
気圧を検出し、
前記気圧に基づいて、前記吸引手段を制御することを特徴とする。
【００１２】
本発明によれば、吸引手段の吸引力は気圧に基づいて設定される。従って、気圧の低下
に起因して吸引部における吸引力が低下する場合には、例えば、吸引手段を構成する吸引
ファンの単位時間当たりの回転数を高めることにより吸引部における吸気気流の流速を上
昇させ、その吸引力を所定の吸引力に戻すことができる。この結果、気圧の変化に拘わら
ず、吸引部における吸引力を所定の吸引力に維持できるので、記録紙がプラテンの表面か
ら浮き上がってしまうことを確実に防止できる。また、吸引手段の吸引力は気圧に基づい
て設定されるので、気圧が低い動作環境でのプリンターの使用を想定して、吸引手段の吸
引力を必要以上に強く設定しておく必要がない。例えば、吸引手段を構成する吸引ファン
の回転数を必要以上に高く設定しておく必要がない。この結果、吸引ファンの回転数を、
動作環境の気圧において、記録紙の浮き上がりを防止するのに必要な最小限の所定の吸引
力を発生させるだけの回転数に設定することができるので、吸引ファンなどから発生する
騒音を抑制できる。また、装置の消費電力を抑制できる。
【００１３】
本発明において、吸引手段の吸引力を適切なものに設定するためには、少なくとも電源
が投入されたときに、前記気圧を検出することが望ましい。
【００１４】
また、本発明において、吸引手段の吸引力を適切なものに設定するためには、少なくと
も上位機器からデータを受信すると、前記気圧を検出することが望ましい。データが印刷
データの場合は、印刷する前に気圧を検出することができる。またデータが気圧を検出す
る指令である場合には、所定のタイミングで気圧を検出できる。なお、気圧を検出する指
令は、プリンターに設けられているスイッチが操作されることにより入力される場合があ
る。
【００１５】
本発明において、吸引手段の吸引力の制御を容易にするためには、前記吸引手段は吸引
ファンを含み、前記気圧が検出されると、予め定められた基準気圧以上か否かを判定し、
前記基準気圧以上の場合には、前記吸引ファンの回転数を予め定められた第１回転数に設
定し、前記基準気圧よりも低い場合には、前記回転数を前記第１回転数よりも高い第２回
転数に設定することが望ましい。
【００１６】
ここで、プリンターは、設置場所が一旦確定すると、このプリンターを気圧が変化する
ほど離れた場所に移動させて再度設置することは稀である。従って、吸引ファンの回転数
の設定を容易にするためには、前記吸引手段は吸引ファンを含み、予め、前記吸引ファン
の回転数を予め定められた第１回転数に設定しておき、前記気圧を１回だけ検出し、前記
気圧が検出されると、予め定められた基準気圧より低いか否かを判定し、前記基準気圧よ
り低い場合には、前記回転数を前記第１回転数よりも高い第２回転数に設定するようにし
てもよい。
【００１７】
次に、本発明のプリンターは、
吸引部を備えるプラテンと、
前記吸引部で記録紙を吸引するための吸引手段と、
気圧検出手段と、
前記気圧検出手段が検出する気圧に基づいて、前記吸引手段の吸引力を制御する制御部
と、を有することを特徴とする。
【００１８】
本発明のプリンターでは、制御部は、吸引手段の吸引力を気圧に基づいて設定する。従
って、気圧の低下に起因して吸引部における吸引力が低下する場合には、例えば、吸引手
段を構成する吸引ファンの回転数を高めることにより吸引部における吸気気流の流速を上
昇させ、その吸引力を所定の吸引力に戻すことができる。この結果、気圧の変化に拘わら
ず、吸引部における吸引力を所定の吸引力に維持できるので、記録紙がプラテンの表面か
ら浮き上がってしまうことを確実に防止できる。また、制御部が吸引手段の吸引力を気圧
に基づいて設定するので、気圧が低い動作環境でのプリンターの使用を想定して、吸引手
段の吸引力を必要以上に強く設定しておく必要がない。例えば、吸引手段を構成する吸引
ファンの回転数を必要以上に高く設定しておく必要がない。この結果、吸引ファンの回転
数を、動作環境の気圧において、記録紙の浮き上がりを防止するのに必要な最小限の所定
の吸引力を発生させるだけの回転数に設定することができるので、吸引手段から発生する
騒音を抑制できる。また、装置の消費電力を抑制できる。
【００１９】
本発明において、吸引手段の吸引力を適切なものに設定するためには、前記制御部は、
少なくとも電源が投入されたときに、前記気圧を検出することが望ましい。
【００２０】
また、本発明において、吸引手段の吸引力を適切なものに設定するためには、前記制御
部は、少なくとも上位機器からデータを受信すると、前記気圧を検出することが望ましい
。データが印刷データの場合は、印刷する前に気圧を検出することができる。またデータ
が気圧を検出する指令である場合には、所定のタイミングで気圧を検出できる。なお、気
圧を検出する指令は、プリンターに設けられているスイッチが操作されることにより入力
される場合がある。
【００２１】
本発明において、吸引手段の吸引力の設定を容易にするためには、前記吸引手段は吸引
ファンを含み、前記制御部は、前記気圧が予め定められた基準気圧より低いか否かを判定
する判定手段と、前記気圧が前記基準気圧以上の場合には前記吸引ファンの回転数を予め
定められた第１回転数に設定し、前記気圧が前記基準気圧より低い場合には前記回転数を
前記第１回転数よりも高い第２回転数に設定する設定手段を備えていることが望ましい。
【００２２】
ここで、プリンターは、設置場所が一旦確定すると、このプリンターを気圧が変化する
ほど離れた場所に移動させて設置しなおすことは稀である。従って、吸引ファンの回転数
の設定を容易にするためには、前記吸引手段は吸引ファンを含み、前記制御部は、前記吸
引ファンの回転数を予め定められた第１回転数に設定しておく初期設定手段と、前記気圧
が予め定められた基準気圧より低いか否かを判定する判定手段と、前記気圧が前記基準気
圧より低い場合には前記回転数を前記第１回転数から当該第１回転数よりも高い第２回転
数に変更する設定変更手段を備えるように構成することもできる。
【００２３】
本発明において、吸引部の近傍における気圧を検出するためには、前記気圧検出手段は
、前記プラテンの近傍に配置されていることが望ましい。
【発明の効果】
【００２４】
本発明によれば、吸引手段の吸引力は気圧に基づいて設定される。従って、気圧の低下
に起因して吸引部における吸引力が低下する場合には、例えば、吸引手段を構成する吸引
ファンの回転数を高めることにより吸引部における吸気気流の流速を上昇させ、その吸引
力を所定の吸引力に戻すことができる。この結果、気圧の変化に拘わらず、吸引部におけ
る吸引力を所定の吸引力に維持できるので、記録紙がプラテンの表面から浮き上がってし
まうことを確実に防止できる。また、吸引手段の吸引力は気圧に基づいて設定されるので
、気圧が低い動作環境でのプリンターの使用を想定して、吸引手段の吸引力を必要以上に
強く設定しておく必要がない。例えば、吸引手段を構成する吸引ファンの回転数を必要以
上に高く設定しておく必要がない。この結果、吸引ファンの回転数を、動作環境の気圧に
おいて、記録紙の浮き上がりを防止するのに必要最小限の所定の吸引力を発生させるだけ
の回転数に設定することができるので、吸引手段から発生する騒音を抑制できる。また、
装置の消費電力を抑制できる。
【図面の簡単な説明】
【００２５】
【図１】本発明を適用したプリンターの外観斜視図である。
【図２】プリンターの開閉蓋を開けた状態を示す外観斜視図である。
【図３】プリンターの内部構造を示す概略縦断面図である。
【図４】記録紙の吸引機構を示す部分斜視図である。
【図５】プリンターの制御系を示す概略ブロック図である。
【図６】吸引ファンの回転数の設定動作を示すフローチャートである。
【発明を実施するための形態】
【００２６】
以下に、図面を参照して、本発明を適用したプリンターの実施の形態を説明する。
【００２７】
（全体構成）
図１は本実施の形態に係るインクジェット式のプリンターの外観斜視図であり、図２は
その開閉蓋を全開にした状態の外観斜視図である。
【００２８】
プリンター１は全体としてほぼ直方体形状をしたプリンター本体２と、プリンター本体
２の前面に取り付けた開閉蓋３とを有している。プリンター本体２の外装ケース２ａの前
面には所定幅の記録紙排出口４が形成されている。記録紙排出口４の下側には排紙ガイド
５が前方に突出しており、この排紙ガイド５の側方には蓋開閉レバー６が配置されている
。排紙ガイド５および蓋開閉レバー６の下側には、プリンター本体２の内部に形成されて
いるロール紙収納部７の開口部が形成されており、この開口部は開閉蓋３によって封鎖さ
れている。
【００２９】
蓋開閉レバー６を操作すると開閉蓋３のロックが解除される。ロック解除後、開閉蓋３
に搭載されている排紙ガイド５を前方に引くと、図２に示すように、開閉蓋３が下端部を
中心として前方にほぼ水平となるまで開く。開閉蓋３が開くと、ロール紙収納部７が開放
状態となる。同時に、印刷位置を規定しているプラテン８が開閉蓋３と一緒に移動して、
ロール紙収納部７から記録紙排出口４に至る記録紙搬送経路が開放状態となり、プリンタ
ー前方からロール紙９の交換作業などを簡単に行うことができる。
【００３０】
プラテン８の表面８ａにはロール紙９から繰り出される長尺状の記録紙１０を吸引する
ための吸引部１１が形成されている。吸引部１１は、複数のリブによって仕切られている
溝状の複数の吸引区画１２と、各吸引区画１２の底面に形成されている吸引孔１３とを備
えている。
【００３１】
（内部構造）
図３に示すように、プリンター１の内部には、プリンター本体フレーム１４におけるプ
リンター幅方向の中央部分にロール紙収納部７が形成されている。ロール紙収納部７には
ロール紙９の中心軸がプリンター幅方向に向いた横置き状態で収納される。ロール紙収納
部７に装填されたロール紙９から繰り出される長尺状の記録紙１０は、斜め上方に引き出
された後に湾曲状のテンションガイド１５によって湾曲させられ、しかる後に水平方向に
延びて記録紙排出口４に至る記録紙搬送路１６に沿って搬送される。テンションガイド１
５はバネ力によって上方に付勢されており、テンションガイド１５を通過した記録紙１０
には、所定の張力が付与される。
【００３２】
水平方向に延びている記録紙搬送路１６の部分はロール紙収納部７の真上に位置してい
る。この記録紙搬送路部分１６ａには、インクジェット印刷ヘッド１７およびプラテン８
が一定のギャップで対向配置されている。プラテン８はプリンター前後方向に水平に延び
るプラテンフレーム１８に搭載されており、このプラテン８によってインクジェット印刷
ヘッド１７の印刷位置Ａが規定されている。インクジェット印刷ヘッド１７はインクノズ
ル面が下向きになるようにキャリッジ１９に搭載されている。インクジェット印刷ヘッド
１７には、気圧センサー（気圧検出手段）２０が搭載されている。キャリッジ１９はキャ
リッジガイド軸２１に沿って、キャリッジモーター２２によってプリンター幅方向に往復
移動する。
【００３３】
印刷位置Ａよりも下流側にはカット位置Ｂが設けられている。カット位置Ｂにはオート
カッター２３が配置されており、印刷位置Ａで印刷が行われた記録紙１０は、カット位置
Ｂにおいて幅方向に切断されるようになっている。
【００３４】
記録紙搬送路部分１６ａにおける印刷位置Ａの上流側には紙送りローラー２４が配置さ
れている。紙送りローラー２４は紙送りモーター２５（図５参照）によって回転駆動され
る。紙送りローラー２４には第１押さえローラー２６が連れ回りするように押し付けられ
ている。
【００３５】
テンションガイド１５の下方には、繰り出しローラー２７が配置されている。繰り出し
ローラー２７はロール紙収納部７から記録紙１０を繰り出すためのものであり、繰り出し
モーター２８（図５参照）によって回転駆動されるようになっている。繰り出しローラー
２７には第２押さえローラー２９が連れ回りするように押し付けられている。第２押さえ
ローラー２９はプラテンフレーム１８の下側から後に向かって延びる押さえレバー３０の
先端部分に取り付けられている。押さえレバー３０はバネ力によって下方に付勢されてお
り、これにより第２押さえローラー２９は繰り出しローラー２７に押し付けられている。
【００３６】
ロール紙収納部７の後方には、吸引ファン３１が配置されている。プラテン８の吸引部
１１と吸引ファン３１の吸気口３２との間には吸気流路が形成されている。吸引ファン３
１には排気ダクト３３が取り付けられており、この排気ダクト３３により排気流路が形成
されている。吸引ファン３１が動作すると、吸引部１１から吸気流路を介して吸引ファン
３１に向かい、排気流路から排出される気流が発生するので、プラテン８の表面８ａの吸
引部１１において記録紙１０を吸引することができる。
【００３７】
開閉蓋３を開くと、プラテン８、テンションガイド１５、紙送りローラー２４、押さえ
レバー３０、第２押さえローラー２９などの部品は開閉蓋３と一緒に前方へ移動して、ロ
ール紙収納部７と記録紙搬送路１６が開放状態になる。従って、開放状態になった空間を
介して、記録紙１０が引き出された状態のロール紙９をロール紙収納部７に投入すること
ができる。また、開閉蓋３を閉じると、プラテン８、テンションガイド１５、紙送りロー
ラー２４、押さえレバー３０、第２押さえローラー２９などの部品が元の位置に復帰して
記録紙搬送路１６が形成されると共に、プラテン８がインクジェット印刷ヘッド１７に一
定のギャップで対峙して印刷位置Ａを規定する状態になる。同時に、引き出されていた記
録紙１０が記録紙搬送路１６上でプラテン８上の印刷位置Ａを通過した状態にセットされ
る。
【００３８】
印刷時には、記録紙１０はプラテン８の表面８ａに吸引された状態で搬送されて、印刷
位置Ａを通過する。印刷位置Ａではキャリッジ１９をキャリッジガイド軸２１に沿って往
復移動させながら、そこに搭載されているインクジェット印刷ヘッド１７により印刷が行
われる。記録紙１０の幅方向への一連の行印刷が終了した後は、紙送りローラー２４およ
び繰り出しローラー２７が回転駆動されて、所定ピッチだけ記録紙１０が送り出される。
この後に、次の行の印刷が行われる。このように、記録紙１０は、所定ピッチで間欠的に
送り出されながらインクジェット印刷ヘッド１７によって印刷が施される。印刷が終了す
ると、記録紙１０はカット位置Ｂでオートカッター２３により切断される。
【００３９】
（記録紙の吸引機構）
図４は記録紙１０の吸引機構を取り出して示した部分斜視図である。記録紙１０をプラ
テン８に吸引するための吸引機構は、吸引ファン３１、プラテン８の吸引部１１、吸気流
路および排気流路を有している。
【００４０】
吸引ファン３１は、シロッコファンであり、ロール紙収納部７の後方のプリンター本体
フレーム１４の背板部分１４ａの背面側に取り付けられている。吸引ファン３１は羽根の
回転中心軸線がプリンター前後方向を向くように配置されており、その吸気口３２は背板
部分１４ａに形成された開口から前方を向いている。また、その排気口３４は、背板部分
１４ａの上側でプリンター幅方向を向いている。
【００４１】
プラテン８は、その内部が中空にして構成されており、この中空部分が吸引部１１と連
通するプラテン側空気通路３５となっている。プラテンフレーム１８におけるプラテン８
の側方には、インクジェット印刷ヘッド１７を搭載したキャリッジ１９の移動範囲を確保
するためのスペースを利用して、インクジェット印刷ヘッド１７から吐出されるインク液
滴に起因して発生するインクミストを回収するインクミスト回収部３６が形成されている
。インクミスト回収部３６の後端下側の部位、すなわち、印刷領域から側方に外れた位置
には、プラテン側空気通路３５のプラテン側開口端３７が形成されている。プラテン側開
口端３７は下方および背面側に向いて傾斜しており、そこにはパッキン３８が取り付けら
れている。
【００４２】
プラテン側空気通路３５のプラテン側開口端３７と吸引ファン３１の吸気口３２とは吸
気ダクト３９によって接続されている。吸気ダクト３９は一方の開口端が吸引ファン３１
の吸気口３２と繋がるように背板部分１４ａに取り付けられており、他方の開口端側はイ
ンクミスト回収部３６の後側において、ロール紙収納部７の側方をプリンター本体２の側
面に沿って前面側に向って延びた後に上方に向って折れ曲がったＬ字形状をしている。折
れ曲がり部分の端部に形成されているダクト開口端４０は上方および前面に向いて傾斜し
ており、そこにはパッキン４１が取り付けられている。吸気ダクト３９の幅寸法とインク
ミスト回収部３６の幅寸法とは略同一に構成されている。また、吸気ダクト３９の断面形
状は矩形になっている。
【００４３】
図４に示すように、開閉蓋３を閉じた状態では、プラテンフレーム１８がほぼ水平に保
持され、プラテン８は印刷位置Ａを規定する姿勢になる。この状態では、プラテン側開口
端３７およびダクト開口端４０はパッキン３８、４１を介して気密状態で当接する。従っ
て、プラテン８の表面８ａの吸引部１１は、プラテン側空気通路３５および吸気ダクト３
９からなる吸気流路を介して、吸引ファン３１の吸気口３２に接続される。
【００４４】
一方、開閉蓋３を開くと、プラテン８は開閉蓋３と一緒にプリンター本体２の前方に移
動するので、プラテン側開口端３７と、ダクト開口端４０との間が離間して、吸引ファン
３１の吸気口３２とプラテン８の吸引部１１とが切り離される。
【００４５】
なお、インクミスト回収部３６はインクミストを吸引するためのミスト吸引孔４２を備
えており、このミスト吸引孔４２はプラテン側空気通路３５に連通している。従って、プ
ラテン８の表面８ａへ記録紙１０を吸引するためのプラテン側空気通路３５、吸気ダクト
３９、吸引ファン３１を利用して、インクミストを回収するための吸引機構が構成されて
いる。
【００４６】
次に、排気流路を構成する排気ダクト３３は、吸引ファン３１の排気口３４を覆うよう
にして背板部分１４ａに背面側から被せられた断面Ｕ字形状のダクトカバー４３を備えて
いる。ダクトカバー４３と背板部分１４ａの背面との間が排気ダクト３３となっている。
排気ダクト３３は排気口３４から下方に向かって湾曲しており、下端には排気開口４４が
形成されている。
【００４７】
プラテン８の吸引部１１と吸引ファン３１の吸気口３２とが接続された状態で吸引ファ
ン３１が駆動されると、吸引部１１の各吸引区画１２から空気が吸い込まれて、吸引ファ
ン３１の排気口３４から吹き出される。この結果、吸引部における吸気気流によって各吸
引区画１２には負圧が発生するので、記録紙１０はプラテン８の表面８ａに吸引され、印
刷位置Ａを通過する記録紙１０の部分はプラテン８の表面８ａに沿った平坦な状態に保持
される。吸引ファン３１の排気口３４から吹き出される排気は、排気ダクト３３を介して
排気開口４４から吹き出され、プリンター本体２の下側から排出される。
【００４８】
（制御系）
図５は、プリンター１の制御系を示す概略ブロック図である。プリンター１の制御系は
、ＣＰＵ、ＲＯＭ、ＲＡＭなどを備えた制御部５０を中心に構成されている。制御部５０
には、フラッシュＲＯＭなどの不揮発性メモリー５１が接続されている。制御部５０の入
力側には、気圧センサー２０などの検出器が接続されている。制御部５０の出力側には、
各ドライバー５２〜５７を介して、インクジェット印刷ヘッド１７、キャリッジモーター
２２、紙送りモーター２５、繰り出しモーター２８、オートカッター２３、吸引ファン３
１などが接続されている。
【００４９】
制御部５０には、図示しない送受信部を介して、ホスト装置５８などの上位機器から印
刷を指示する印刷指令や印刷データなどが入力されるようになっている。制御部５０は、
ホスト装置５８などからの印刷指令および印刷データに基づき、インクジェット印刷ヘッ
ド１７、キャリッジモーター２２、紙送りモーター２５、繰り出しモーター２８、吸引フ
ァン３１、オートカッター２３などの各部の駆動を制御して、印刷動作、紙送り動作、吸
引動作、切断動作を実行する。
【００５０】
また、制御部５０は、気圧センサー２０が検出した気圧が、予め定められた基準気圧以
上か否かを判定する判定手段６１と、気圧が基準気圧以上の場合には吸引ファン３１の回
転数を予め求められている第１回転数に設定し、気圧が基準気圧よりも低い場合には吸引
ファン３１の回転数を第１回転数よりも高い第２回転数に設定する設定手段６２を備えて
いる。
【００５１】
（吸引ファンの回転数の設定動作）
図６は電源投入時における吸引ファン３１の回転数の設定動作を示すフローチャートで
ある。
【００５２】
まず、不揮発性メモリー５１には、吸引部１１において記録紙１０を浮き上がらない状
態に保持しながら搬送するのに必要な所定の吸引力を発生させるための吸引ファン３１の
回転数の設定データを、気圧に対応づけた設定データテーブルとして記憶させてある。
【００５３】
本例では、１気圧よりも低い気圧を基準気圧として、１気圧から基準気圧までの動作環
境で、吸引部１１において所定の吸引力を発生させるのに必要な吸引ファン３１の回転数
を第１回転数として求めている。そして、吸引ファン３１を第１回転数で駆動するための
駆動パルス信号のデューティ比を第１デューティ比として求め、設定データテーブルには
基準気圧と第１デューティ比とを対応付けて記憶保持している。また、基準気圧からプリ
ンターの動作を保証する最低気圧までの動作環境で所定の吸引力を発生させるのに必要な
吸引ファン３１の回転数を第２回転数として求めている。そして、吸引ファン３１を第２
回転数で駆動するための駆動パルス信号のデューティ比を第２デューティ比として求め、
設定データテーブルには最低気圧と第２デューティ比とを対応付けて記憶保持している。
【００５４】
ここで、吸引部１１において発生する吸引力（圧力）ΔＰは、空気密度をρ、吸引部１
１における吸引気流の流速をνとすると、以下の数式によって表されており、気圧が低い
と空気密度ρが低下するので、吸引部１１における吸引力ΔＰは低下して、所定の吸引力
以下になる。
【００５５】
【数２】
2010221462.tif 000004
【００５６】
このため、基準気圧から最低気圧までの動作環境において、１気圧から基準気圧までの
動作環境と同等の所定の吸引力を得るためには、吸引気流の流速νを速くしなければなら
ず、吸引ファン３１の回転数を上げる必要がある。従って、最低気圧で吸引部１１に所定
の吸引力を発生させる吸引ファン３１の第２回転数は、基準気圧で吸引部１１に所定の吸
引力を発生させる吸引ファン３１の第１回転数よりも高い回転数になる。この結果、最低
気圧に対応付けられている駆動パルス信号の第２デューティ比は、基準気圧に対応付けら
れている駆動パルス信号の第１デューティ比よりも高い値になっている。
【００５７】
次に、図６に示すように、プリンター１の電源が投入されると（ステップＳＴ１）、気
圧センサー２０は気圧を検出する（ステップＳＴ２）。判定手段６１は、この気圧が基準
気圧以上か否かを判定する（ステップＳＴ３）。
【００５８】
気圧が基準気圧以上の場合には、設定手段６２は、吸引ファン３１の回転数を基準気圧
に対応付けられた第１回転数に設定する。具体的には、吸引ファン３１を駆動制御する駆
動パルス信号のデューティ比を第１デューティ比に設定する（ステップＳＴ４）。気圧が
基準気圧より低い場合には、設定手段６２は、吸引ファン３１の回転数を最低気圧に対応
付けられた第２回転数に設定する。具体的には、吸引ファン３１を駆動制御する駆動パル
ス信号のデューティ比を第２デューティ比に設定する（ステップＳＴ５）。
【００５９】
吸引ファン３１の回転数の設定が行われた後は、吸引ファン３１は、設定されたデュー
ティ比の駆動パルス信号で駆動制御される。この設定は、プリンター１の電源が落とされ
るまで維持される。
【００６０】
（本形態の効果）
以上、本例によれば、制御部５０は、吸引ファン３１の回転数を気圧に基づいて設定す
る。従って、気圧の低下に起因して吸引部１１における吸引力が低下する場合には、吸引
ファン３１の回転数を高めることにより、吸引部１１における吸気気流の流速νを上昇さ
せ、この吸引力を所定の吸引力に戻すことができる。この結果、気圧の変化に拘わらず、
吸引部１１における吸引力を所定の吸引力に維持できるので、記録紙１０がプラテン８の
表面８ａから浮き上がってしまうことを確実に防止できる。
【００６１】
また、本例によれば、吸引ファン３１の回転数が気圧に基づいて設定されるので、最低
気圧でのプリンター１の使用を想定して、吸引ファン３１の回転数を必要以上に高く設定
しておく必要がない。すなわち、吸引ファン３１の回転数を、動作環境の気圧において、
記録紙１０の浮き上がりを防止するのに必要な所定の吸引力を発生させる回転数に設定で
きるので、吸引ファン３１から発生する騒音を抑制できる。また、装置の消費電力を抑制
できる。
【００６２】
さらに、本例では、電源が投入されたときに吸引ファン３１の回転数が設定されるので
、プリンター１の設置場所が変更されて気圧が変化した場合でも、吸引ファン３１の回転
数は、吸引部１１において所定の吸引力を発生させることができる適切な回転数に設定さ
れる。
【００６３】
また、本例では、気圧センサー２０は、プラテン８の近傍を移動するインクジェット印
刷ヘッド１７に取り付けられているので、吸引部１１の近傍の気圧に基づいて、吸引ファ
ン３１の回転数を設定できる。
【００６４】
（その他の実施の形態）
上記の例では、制御部５０は、電源が投入されたときに吸引ファン３１の回転数を設定
しているが、ホスト装置５８などの上位機器から吸引ファン３１の回転数の設定を指示す
る設定指令が制御部５０に入力されたときに、気圧センサー２０の気圧を取得して、吸引
ファン３１の回転数を設定してもよい。また、プリンター１に設けられているスイッチの
操作により設定指令が制御部５０に入力されるように構成しておき、設定指令が入力され
ると、制御部５０が気圧センサー２０の検出している気圧を取得して、吸引ファン３１の
回転数を設定するようにしてもよい。
【００６５】
また、一般的に、プリンターは、設置場所が一旦確定すると、このプリンターを気圧が
変化するほど離れた場所に移動させて設置しなおすことは稀である。この点を考慮すれば
、出荷時に、予め、吸引ファン３１の回転数を第１回転数に設定しておき、プリンター１
に最初に電源が投入されたときに、或いは、最初に設定指令が入力されたときに、気圧セ
ンサー２０で１回だけ気圧を検出し、この気圧が基準気圧以上の場合には設定を変更せず
、この気圧が基準気圧より低い場合にのみ吸引ファン３１の回転数を第２回転数に変更す
るようにしてもよい。
【００６６】
この場合には、制御部５０は、吸引ファン３１の回転数を第１回転数に設定しておく初
期設定手段と、気圧が基準気圧より低いか否かを判定する判定手段と、気圧が基準気圧よ
り低い場合には、吸引ファン３１の回転数を第１回転数から基準気圧に対応付けられてい
る第２回転数に変更する設定変更手段とを備えるように構成することができる。また、こ
の場合には、プリンターの設定を初期状態に戻すことを指示するリセット指令がホスト装
置５８やスイッチなどから入力されたときに、吸引ファン３１の回転数の設定を初期設定
の第１回転数に戻すリセット手段などを備えるように構成することができる。
【００６７】
次に、上記の例では、基準気圧を境界にして吸引ファン３１の回転数を２段階に設定し
ているが、複数の基準気圧を設けることにより、吸引ファン３１の回転数を３段階以上に
設定することもできる。
【００６８】
また、上記の例では、基準気圧を１気圧よりも低い気圧としてあるが、基準気圧を１気
圧以上の気圧としてもよい。
【００６９】
さらに、上記の例では、吸引ファン３１の回転数の設定データとして、設定データテー
ブルに駆動パルス信号のデューティ比を記憶保持しているが、吸引ファン３１を目的の回
転数で駆動するための吸引ファン３１への供給電圧や供給電流を設定データとし、気圧と
対応付けた形態で設定データテーブルに記憶保持させておいてもよい。
【００７０】
なお、気圧センサー２０は、インクジェット印刷ヘッド１７に取り付けられているが、
気圧センサー２０の取り付け位置は、当該位置に限定されるものではない。また、インク
ジェット印刷ヘッド１７に予めインクの吐出制御を行うための気圧センサーなどが搭載さ
れている場合には、制御部５０は、この圧力センサーにより検出されている動作環境の圧
力を取得し、吸引ファン３１の回転数を設定することができる。このようにすれば、吸引
ファン３１の回転数の設定のために新たな気圧センサーを設ける必要がない。
【００７１】
また、プリンター１が記録紙１０の用紙種類によって吸引ファン３１の回転数を駆動制
御している場合には、基準気圧および最低気圧に対応づけられる吸引ファン３１の回転数
を求める際に、用紙種類毎に回転数を求め、気圧と用紙種類と回転数とを対応付けた形態
の設定データテーブルを不揮発性メモリー５１に記憶しておく。そして、吸引ファンの回
転数を設定する際には、制御部５０は、設定データテーブルから気圧センサー２０が検出
した気圧に対応付けられている制御データ群を選択し、この選択された制御データ群の中
から吸引ファン３１の駆動制御を行なうように設定する。
【符号の説明】
【００７２】
１・プリンター、２・プリンター本体、２ａ・外装ケース、３・開閉蓋、４・記録紙排出
口、５・排紙ガイド、６・蓋開閉レバー、７・ロール紙収納部、８・プラテン、９・ロー
ル紙、１０・記録紙、１１・吸引部、１２・吸引区画、１３・吸引孔、１４・プリンター
本体フレーム、１４ａ・背板部分、１５・テンションガイド、１６・記録紙搬送路、１７
・インクジェット印刷ヘッド、１８・プラテンフレーム、１９・キャリッジ、２０・気圧
センサー、２１・キャリッジガイド軸、２２・キャリッジモーター、２３・オートカッタ
ー、２４・紙送りローラー、２５・紙送りモーター、２６・２９・押さえローラー、２７
・繰り出しローラー、２８・繰り出しモーター、３０・押さえレバー、３１・吸引ファン
、３２・吸気口、３３・排気ダクト、３４・排気口、３５・プラテン側空気通路、３６・
インクミスト回収部、３７・プラテン側開口端、３８・４１・パッキン、３９・吸気ダク
ト、４０・ダクト開口端、４２・ミスト吸引孔、４３・ダクトカバー、４４・排気開口、
５０・制御部、５１・不揮発性メモリー、５２〜５７・ドライバー、５８・ホスト装置、
６１・判定手段、６２・設定手段
【図１】
2010221462.tif 000005
【図２】
2010221462.tif 000006
【図３】
2010221462.tif 000007
【図４】
2010221462.tif 000008
【図５】
2010221462.tif 000009
【図６】
2010221462.tif 000010